(57)【要約】【課題】  回路基板を効率的に配置することで、より小型化することができる記録装置、特に、横幅寸法（記録ヘッドの主走査方向寸法）を小さくすることができるとともに、各種制御対象と接続する為のケーブルの長さを短く引き回すことができる記録装置を提供する。【解決手段】  記録装置１は、主走査方向に延びるメインフレーム５９と、メインフレーム５９と直交するサイドフレーム左６１及び右６３とによってその基体が構成される。サイドフレーム左６１は、被記録媒体を搬送する搬送駆動ローラの軸端２９ａを軸支し、そのフレーム面外側には、伝達歯車８３、８５を含む歯車輪列が設けられる。装置の各種制御を行う電子部品が実装されたメイン基板６５は、サイドフレーム左６の外側フレーム面において前記歯車輪列の周囲に形成されたスペースに、外側フレーム面と平行に配設されている。【選択図】図４
2006007730.tif 000002
【特許請求の範囲】
【請求項１】
被記録媒体に記録を行う記録ヘッドと、
前記記録ヘッドの上流側に設けられ、被記録媒体を下流側に搬送する、回転駆動される搬送駆動ローラと、
前記搬送駆動ローラの駆動源となる搬送用モータと、
前記搬送用モータから前記搬送駆動ローラへ動力を伝達する歯車輪列と、
前記搬送駆動ローラの回動軸と直交するフレーム面を有し、前記搬送駆動ローラの回動軸を支持するとともに前記歯車輪列を外側のフレーム面に備えるサイドフレームと、を備えた記録装置であって、
前記記録装置の各種制御を行う電子部品が実装された回路基板が、前記サイドフレームの外側フレーム面において前記歯車輪列の周囲に形成されたスペースに、前記外側フレーム面と平行に配設されている、
ことを特徴とする記録装置。
【請求項２】
請求項１において、前記搬送駆動ローラの回転を検出する回転検出手段を有し、
前記回転検出手段が、外周部に回転検出用パターンを有する円盤状スケールと、
前記回転検出用パターンの回転を検出し、前記回転を電気信号に変換する検出部と、を備えて構成され、
前記円盤状スケールが、前記歯車輪列を構成する歯車に設けられるとともに、前記検出部が、前記回路基板に設けられている、
ことを特徴とする記録装置。
【請求項３】
請求項２において、前記回路基板と前記サイドフレームとの間にスペーサ部材を介在させることで、前記円盤状スケールと前記検出部との相対位置を調節可能となる様に構成されている、
ことを特徴とする記録装置。
【請求項４】
請求項１から３のいずれか１項において、前記回路基板の上方であって前記記録装置の上面に相当する位置に、前記記録装置の操作を行う操作釦を備えた操作部が配設されている、
ことを特徴とする記録装置。
【請求項５】
請求項１から４のいずれか１項において、前記回路基板において前記記録装置の前面に相当する位置に、記憶媒体を着脱自在に装着可能な記憶媒体装着部が設けられている、
ことを特徴とする記録装置。
【請求項６】
請求項１から５のいずれか１項において、前記回路基板において前記記録装置の背面に相当する位置に、外部機器との接続を可能とするインタフェース部が設けられている、
ことを特徴とする記録装置。
【請求項７】
請求項１から６のいずれか１項において、前記記録装置の上部にスキャナユニットが設けられ、
前記スキャナユニットは、前記記録ヘッドの主走査方向に走査する読み取りヘッドを備えるとともに、前記読み取りヘッドのホームポジションが、前記回路基板の側に位置する様に成されている、
ことを特徴とする記録装置。
【請求項８】
請求項１から７のいずれか１項において、前記搬送用モータが、前記サイドフレームに隣接する様に設けられている、
ことを特徴とする記録装置。
【請求項９】
請求項１から８のいずれか１項において、前記記録ヘッドを備えたキャリッジを主走査方向に駆動するキャリッジモータが、前記サイドフレームに隣接する様に設けられている、
ことを特徴とする記録装置。
【請求項１０】
被噴射媒体に液体噴射を行う液体噴射ヘッドと、
前記液体噴射ヘッドの上流側に設けられ、被噴射媒体を下流側に搬送する、回転駆動される搬送駆動ローラと、
前記搬送駆動ローラの駆動源となる搬送用モータと、
前記搬送用モータから前記搬送駆動ローラへ動力を伝達する歯車輪列と、
前記搬送駆動ローラの回動軸と直交するフレーム面を有し、前記搬送駆動ローラの回動軸を支持するとともに前記歯車輪列を外側のフレーム面に備えるサイドフレームと、を備えた液体噴射装置であって、
前記液体噴射装置の各種制御を行う電子部品が実装された回路基板が、前記サイドフレームの外側フレーム面において前記歯車輪列の周囲に形成されたスペースに、前記外側フレーム面と平行に配設されている、
ことを特徴とする液体噴射装置。
【発明の詳細な説明】
【技術分野】
【０００１】
本発明は、被記録媒体に記録を行う記録ヘッド、被記録媒体を搬送する搬送駆動ローラ、前記搬送駆動ローラの駆動源となる搬送用モータ、前記搬送用モータから前記搬送駆動ローラへ動力を伝達する歯車輪列、前記搬送駆動ローラの回動軸を支持するとともに前記歯車輪列を備えるサイドフレーム、を備えた記録装置に関する。また、本発明は液体噴射装置に関する。  
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００２】
Ｆａｘ、プリンタ等に代表される記録装置或いは液体噴射装置は、装置の各種制御を行う、電子部品が実装された回路基板を有している。この回路基板は従来、特許文献１及び特許文献２に示す様に装置底部に配置され、或いは、特許文献３に示す様に装置中央部に配置されていた。
【０００３】
【特許文献１】特開２００４−１４２１９２号公報
【特許文献２】特開２００２−９６５３３号公報
【特許文献３】特開２００４−６３８８９号公報
【発明の開示】
【発明が解決しようとする課題】
【０００４】
上記特許文献１に記載の記録装置は、簡易に基板の取り付けや取り外しを行うことができることを目的とするものであり、上記特許文献２記載の記録装置は、シールドプレートに覆われた電子部品の冷却効率の向上を及び騒音抑制を目的とするものであり、更に上記特許文献３記載の回路基板の組付構造は、回路基板組付けの手間を軽減することを目的とするものであって、回路基板を効率的に配置することで、装置のサイズ、特に、記録装置の横幅寸法（記録ヘッドの主走査方向寸法）を小さくすることについては、考慮されていなかった。
【０００５】
また、回路基板は、各種制御対象（例えば、モータ）や各種検出部、操作釦等と接続されるが、その接続ケーブル（コード）の引き回し距離が長いと、信号の減衰やノイズの混入を招き易く、適切な制御を実行できない場合が生じることもある。この様な課題についても、上記特許文献１〜３においては、その記載も示唆もない。
【０００６】
そこで本発明は、回路基板を効率的に配置することで、より小型化することができる記録装置、特に、横幅寸法（記録ヘッドの主走査方向寸法）を小さくすることができるとともに、各種制御対象と接続する為のケーブルの長さを短く引き回すことができる記録装置を提供することを課題とする。
【課題を解決するための手段】
【０００７】
上記課題を解決する為に、本発明の第１の態様に係る記録装置は、被記録媒体に記録を行う記録ヘッドと、前記記録ヘッドの上流側に設けられ、被記録媒体を下流側に搬送する、回転駆動される搬送駆動ローラと、前記搬送駆動ローラの駆動源となる搬送用モータと、前記搬送用モータから前記搬送駆動ローラへ動力を伝達する歯車輪列と、前記搬送駆動ローラの回動軸と直交するフレーム面を有し、前記搬送駆動ローラの回動軸を支持するとともに前記歯車輪列を備えるサイドフレームと、を備えた記録装置であって、前記記録装置の各種制御を行う電子部品が実装された回路基板が、前記サイドフレームの外側フレーム面において前記歯車輪列の周囲に形成されたスペースに、前記外側フレーム面と平行に配設されていることを特徴とする。
【０００８】
上記態様によれば、記録装置の各種制御を行う為の回路基板が、搬送駆動ローラを支持するサイドフレームの外側フレーム面（記録装置の外側に位置するフレーム面）において、搬送用モータから搬送駆動ローラへ動力を伝達する歯車輪列の周囲に形成されたスペースに、前記外側フレーム面と平行に設けられていることから、前記歯車輪列の周囲に形成されたスペースを利用することで、装置の横幅寸法を小さくすることができる。即ち、回路基板を効率的に配置することができる。
【０００９】
また、回路基板は、搬送駆動ローラの回動軸と直交するフレーム面を成すサイドフレームに平行に、即ちサイドフレームに沿う様に設けられているので、回路基板は記録装置の前面及び背面並びに上面の周囲に位置することが可能となる。つまり、ユーザが種々の操作を行い易い部位（記録装置の前面及び背面並びに上面）に、操作釦や、各種インタフェースを配置するとともに、これらを直接回路基板に設けることができるので、この様な操作釦や各種インタフェース専用の回路基板を別途設ける必要がなく、更に前記専用の回路基板との間のケーブルの引き回しが不要となるので、省スペース化及び低コスト化を図ることができるとともに、信号の減衰やノイズの混入を防止することができる。
【００１０】
本発明の第２の態様に係る記録装置は、上記第１の態様において、前記搬送駆動ローラの回転を検出する回転検出手段を有し、前記回転検出手段が、外周部に回転検出用パターンを有する円盤状スケールと、前記回転検出用パターンの回転を検出し、前記回転を電気信号に変換する検出部と、を備えて構成され、前記円盤状スケールが、前記歯車輪列を構成する歯車に設けられるとともに、前記検出部が、前記回路基板に設けられていることを特徴とする。  
上記態様によれば、前記搬送駆動ローラの回転を検出する回転検出手段が前記回路基板に直接設けられている。つまり、前記回路基板が前記歯車輪列の周囲に設けられたことで、前記歯車輪列を構成する歯車に前記回転検出手段を構成する円盤状スケールを取り付けるとともに、円盤状スケールの回転を検出する検出部を前記回路基板に直接取り付けることができ、前記検出部を取り付ける専用の基板が不要となり、省スペース化及び低コスト化を図ることができる。
【００１１】
本発明の第３の態様に係る記録装置は、上記第２の態様において、前記回路基板と前記サイドフレームとの間にスペーサ部材を介在させることで、前記円盤状スケールと前記検出部との相対位置を調節可能となる様に構成されていることを特徴とする。  
上記態様によれば、前記回路基板と前記サイドフレームとの間にスペーサ部材を介在させることで、前記円盤状スケールと前記検出部との相対位置を調節可能となる様に構成されていることから、前記回路基板を固定した後、即ち装置の組立を完了した後においても、前記円盤状スケールと前記検出部との相対位置を容易に調節することができ、組立・調整作業の効率化を図ることができる。
【００１２】
本発明の第４の態様に係る記録装置は、上記第１から第３の態様のいずれかにおいて、前記回路基板の上方であって前記記録装置の上面に相当する位置に、前記記録装置の操作を行う操作釦を備えた操作部が配設されていることを特徴とする。  
上記態様によれば、前記回路基板の上方であって前記記録装置の上面に相当する位置に、前記記録装置の操作を行う操作釦を備えた操作部が配設されているので、ユーザの操作性を向上させることができるとともに、前記操作部と前記回路基板とを接続するケーブルの長さを短くすることができ、或いは、前記ケーブルが不要となり、これによって信号の減衰やノイズ混入の危険性を低減することができる。
【００１３】
本発明の第５の態様に係る記録装置は、上記第１から第４の態様のいずれかにおいて、前記回路基板において前記記録装置の前面に相当する位置に、記憶媒体を着脱自在に装着可能な記憶媒体装着部が設けられていることを特徴とする。  
上記態様によれば、前記回路基板において前記記録装置の前面に相当する位置に、記憶媒体を着脱自在に装着可能な記憶媒体装着部が設けられているので、前記記憶媒体装着部を設ける専用の基板を別途配置する必要がなく、省スペース化及び低コスト化を図ることができる。
【００１４】
本発明の第６の態様に係る記録装置は、上記第１から第５の態様のいずれかにおいて、前記回路基板において前記記録装置の背面に相当する位置に、外部機器との接続を可能とするインタフェース部が設けられていることを特徴とする。  
上記態様によれば、前記回路基板において前記記録装置の背面に相当する位置に、外部機器との接続を可能とするインタフェース部が設けられているので、前記インタフェース部を設ける専用の基板を別途配置する必要がなく、省スペース化及び低コスト化を図ることができるとともに、信号の転送速度の低下を防止することができる。
【００１５】
本発明の第７の態様に係る記録装置は、上記第１から第６の態様のいずれかにおいて、前記記録装置の上部にスキャナユニットが設けられ、前記スキャナユニットは、前記記録ヘッドの主走査方向に走査する読み取りヘッドを備えるとともに、前記読み取りヘッドのホームポジションが、前記回路基板の側に位置する様に成されていることを特徴とする。  
上記態様によれば、スキャナユニットの読み取りヘッドは、ホームポジションが前記回路基板の側に位置する様に成されていることから、前記回路基板と前記スキャナユニット（前記読み取りヘッド）とを接続するケーブルの長さを短くすることができ、信号の減衰やノイズ混入の危険性を低減することができる。
【００１６】
本発明の第８の態様に係る記録装置は、請求項１から７のいずれか１項において、前記搬送用モータが、前記サイドフレームに隣接する様に設けられていることを特徴とする。  
上記態様によれば、前記搬送用モータが、前記サイドフレームに隣接する様に設けられているので、前記回路基板と前記搬送用モータとを接続するケーブルの長さを短くすることができ、信号の減衰やノイズ混入の危険性を低減することができる。
【００１７】
本発明の第９の態様に係る記録装置は、上記第１から第８の態様のいずれかにおいて、前記記録ヘッドを備えたキャリッジを主走査方向に駆動するキャリッジモータが、前記サイドフレームに隣接する様に設けられていることを特徴とする。  
上記態様によれば、前記記録ヘッドを備えたキャリッジを主走査方向に駆動するキャリッジモータが、前記サイドフレームに隣接する様に設けられているので、前記回路基板と前記キャリッジモータとを接続するケーブルの長さを短くすることができ、信号の減衰やノイズ混入の危険性を低減することができる。
【００１８】
本発明の第１０の態様に係る液体噴射装置は、被噴射媒体に液体噴射を行う液体噴射ヘッドと、前記液体噴射ヘッドの上流側に設けられ、被噴射媒体を下流側に搬送する、回転駆動される搬送駆動ローラと、前記搬送駆動ローラの駆動源となる搬送用モータと、前記搬送用モータから前記搬送駆動ローラへ動力を伝達する歯車輪列と、前記搬送駆動ローラの回動軸と直交するフレーム面を有し、前記搬送駆動ローラの回動軸を支持するとともに前記歯車輪列を外側のフレーム面に備えるサイドフレームと、を備えた液体噴射装置であって、前記液体噴射装置の各種制御を行う電子部品が実装された回路基板が、前記サイドフレームの外側フレーム面において前記歯車輪列の周囲に形成されたスペースに、前記外側フレーム面と平行に配設されていることを特徴とする。
【発明を実施するための最良の形態】
【００１９】
以下、本願発明の実施の形態を図１乃至図７に基づいて説明する。図１は本発明に係る記録装置１の外観斜視図、図２はスキャナユニット５を取り外した状態を示す斜視図、図３は記録装置１の要部側断面図、図４及び図５は記録装置１の外装ハウジングを取り外した状態を示す斜視図、図６及び図７はメイン基板６５、検出部７５、円盤状スケール７７の斜視図である。
【００２０】
図１に示す如く記録装置１は、プリンタ機能に加えてスキャナ機能を備えるタイプであり、装置本体３と、装置本体３の上面側に位置するスキャナユニット５と、スキャナユニット５の後方側に設けられる給送部７とを備えて成る。
【００２１】
装置本体３は、図３に関して後述するように、主としてインクジェット式プリンタの機能を備えている。図１中、符号９で示す部材は、被記録媒体の排出受け部を示し、この排出受け部９は、プリンタ機能の使用時に手前側にほぼ９０°回動した状態で記録後の被記録媒体を受けるようにして使用する。装置本体３の上面左側には、「操作部」に相当する操作パネル１１が設けられており、スキャナユニット５を使用したスキャニング機能、装置本体３での記録機能及びスキャニングした画像を記録する機能などがこの操作パネル１１で操作可能となっている。
【００２２】
スキャナユニット５は、後方側に設けられた図示しない回動軸を中心に上方へ回動することにより開閉可能な蓋体１５を備え、蓋体１５の下側にはスキャニングを行う際に対象となる印刷物等を載置するガラス載置面（図示せず）が形成されている。更にガラス載置面の下側には読み取りヘッド６９（図４参照）が設けられている。スキャナユニット５は、それ自体が全体として回動軸１７を中心に上方へ回動することで装置本体３の上部が開放し、キャリッジ等の記録部における部材のメンテナンス等ができるようになっている。
【００２３】
図１に示す如く、給送部７は、不使用時には蓋体１９によって閉鎖されており、蓋体１９を後方側へ回動させることにより、図２に示す様に給送部７が開放状態となり、また一定角度位置で固定することで媒体サポートとして機能するようになる（図示は省略）。  
記録装置１の前面左側には、図示を省略する記憶媒体（カード型の半導体メモリ）を着脱自在に装着可能な「記憶媒体装着部」としてのカードスロット１３ａ、１３ｂ、１３ｃが設けられていて、記録装置１は前記記憶媒体から画像データを読み出し、そして記録実行用のデータを生成し、記録実行可能に構成されている。
【００２４】
次に、媒体サポートとしても機能する蓋体１９の下方には、図２に示すように被記録媒体Ｐの側端をガイドする固定エッジガイド２５と、同様に被記録媒体Ｐの側端をガイドするとともに被記録媒体Ｐの幅寸法に合わせて可動な可動エッジガイド２１とが設けられている。蓋体１９が開放状態にある時、給送部７には給送口２７が形成され、給送口２７にストックされた被記録媒体Ｐが図示しない送り機構により一枚ずつ給送口２７から記録部へ送り出されるようになっている。
【００２５】
図３には、被記録媒体Ｐが左側（上流側）から右側（下流側）へ給送される経路の周辺部材が示されている。給送部７から送り出された被記録媒体Ｐは、回動駆動される下側の搬送駆動ローラ２９と、自由回転可能な上側の搬送従動ローラ３１とを備えて構成される搬送ローラ３３に至り、駆動系（後述）により記録工程における精密な送り動作を受けながら、搬送ローラ３３の被記録媒体搬送方向下流側に位置する記録ヘッド３５側へ搬送される。
【００２６】
記録ヘッド３５は、キャリッジ３７に支持されており、キャリッジ３７は被記録媒体Ｐの搬送方向に直交する主走査方向（図３の紙面表裏方向）へ往復動できるようになっているとともに、複数色の各色毎に独立したインクカートリッジ３４（図２、図４参照）を備え、インクカートリッジ３４から記録ヘッド３５へインクが供給される様になっている。記録ヘッド３５と対向する位置にはプラテンユニット４０が設けられており、該プラテンユニット４０において記録ヘッド３５と対向する側には、リブ３９ａ、３９ｂ、３９ｃが形成されている。リブ３９ａ、３９ｂ、３９ｃは、記録ヘッド３５によって被記録媒体Ｐに記録を行う際に、被記録媒体Ｐを下側から支持する作用を担う。即ち、被記録媒体Ｐと記録ヘッド３５とのギャップ（以下「媒体ギャップＰＧ」と言う）を規定する。
【００２７】
媒体ギャップＰＧは、被記録媒体Ｐの厚さに応じて適宜調節できる。媒体ギャップＰＧが適正に調整されている状態で、被記録媒体Ｐは、リブ３９ａ、３９ｂ、３９ｃ上を滑らかに通過しながら、高品質の記録が行なわれるようになっており、記録ヘッド３５で記録された被記録媒体Ｐは、排出ローラ４１によって順次排出される。排出ローラ４１は、回転駆動される下側の排出駆動ローラ４３と、排出従動ローラ支持フレーム（以下「排出フレーム」と言う）４４においてホルダ４５ａを介して自由回転可能に支持される、上側の排出従動ローラ（ギザローラ）４５とを備えて構成されており、被記録媒体Ｐはこれらローラの回転駆動により引き出されて排出される機構となっている。また排出フレーム４４の先端側（搬送方向上流側）であって、記録ヘッド３５と排出ローラ４１との間には、被記録媒体Ｐの後端の浮き上がりを規制する媒体押さえローラ４７が、ホルダ４７ａを介して設けられている。尚、本実施形態においては、排出フレーム４４は金属板材によって形成されている。
【００２８】
図３中、符号４９で示す部材は、第１案内部材であり、符号５１で示す部材は、第２案内部材である。プラテンユニット４０は、この第１案内部材４９と第２案内部材５１とが連結することによって成されており、即ち換言すれば、プラテンユニット４０は、上流側の第１案内部材４９と、下流側の第２案内部材５１とに分割されて成り、更に第１案内部材４９は上流側の揺動軸４９ａを、第２案内部材５１は排出駆動ローラ軸４３ａを中心に、被記録媒体Ｐの搬送経路を側視して揺動可能に設けられていて、これによってリブ３９ａ、３９ｂ、３９ｃが記録ヘッド３５に対して近接離間可能となり、即ち媒体ギャップＰＧを調節可能となっている。
【００２９】
続いて、図４乃至図６を参照しながら、記録装置１の各種制御を行う電子部品が実装されたメイン基板（回路基板）６５の配設位置について詳説する。  
図２に示すように、記録装置１は、主走査方向に延びるとともに垂直面と平行に配置されるメインフレーム５９と、メインフレーム５９の両側においてメインフレーム５９と直交する様に、且つメインフレーム５９と一体的に設けられるサイドフレーム左６１及びサイドフレーム右６３と、によってその基体が構成される。
【００３０】
サイドフレーム左６１とサイドフレーム右６３とにはキャリッジガイド軸３８が掛架され、当該キャリッジガイド軸３８によって、キャリッジ３７が主走査方向に案内される。サイドフレーム右６３近傍においてキャリッジ３７の往復動領域の下部にはキャップユニット５５が設けられ、当該キャップユニット５５により、記録ヘッド３５（図３）が封止されてノズル開口の目詰まりが防止される。そして更に図示しないポンプユニットからの負圧の供給を受けてノズル開口からのインク吸引が行われ、インク目詰まりの回復動作が行われる。
【００３１】
次に、搬送駆動ローラ２９（図３）は主走査方向に長い軸体によって成されるとともに、その一方の軸端２９ａが、搬送駆動ローラ２９の回動軸（本実施形態では、即ち搬送駆動ローラ２９）と直交するフレーム面を成すサイドフレーム左６１に支持され、他方の軸端は、サイドフレーム左６１とサイドフレーム右６３との間に設けられた補助フレーム（図示せず）に支持される。
【００３２】
搬送駆動ローラ２９の駆動源となる搬送用モータ７９は、図６に詳細に示す様にサイドフレーム左６１に隣接する様に設けられるとともに、その回動軸にピニオン歯車８１が取り付けられている。ピニオン歯車８１には伝達歯車８３が噛合し、伝達歯車８３には図４及び図５に示す様に搬送駆動ローラ２９の軸端２９ａに取り付けられた伝達歯車８５が噛合し、これにより、搬送駆動ローラ２９が搬送用モータ７９から動力を得る。尚、ピニオン歯車８１及び伝達歯車８３、８５は、搬送用モータ７９から搬送駆動ローラ２９へ動力を伝達する歯車輪列を構成し、当該歯車輪列は、サイドフレーム左６１の外側フレーム面に設けられる。
【００３３】
また、図４及び図５に示す様にキャリッジ３７の駆動源となるキャリッジモータ８９が、サイドフレーム左６１に隣接する様に設けられている。キャリッジ３７は、キャリッジモータ８９に設けられた駆動プーリ（図示せず）と、自由回転可能に設けられた従動プーリとに巻回された無端ベルト４８（図２、図４参照）の一部に固定され、キャリッジモータ８９の動力によって主走査方向に往復動作する。
【００３４】
次に、図４において符号６９はスキャナユニット５が備える読み取りヘッドを示しており、符号７１はメイン基板６５と読み取りヘッド６９とを接続するフレキシブル・フラット・ケーブル（以下「ＦＦＣ」と略称する）を示している。即ち図４は、スキャナユニット５の構成要素である読み取りヘッド６９及びＦＦＣ７１と、記録装置１における他の構成要素との位置関係を示す図である。読み取りヘッド６９は、サイドフレーム左６１の側をホームポジションとし（図４の状態）、キャリッジ３７と同様に記録ヘッド３５の主走査方向に往復動する様に設けられている。ＦＦＣ７１は、読み取りヘッド６９のホームポジション側に位置するメイン基板６５からサイドフレーム右６３の側へと延び、そして略Ｕ字形の形状を成す様に折り返して、読み取りヘッド６９に接続され、読み取りヘッド６９の往復動作に追従して変形する様になっている。
【００３５】
メイン基板６５は、図４及び図５に示す様にサイドフレーム左６１の外側フレーム面（図４の左側面）において、伝達歯車８３、８５を含む前記歯車輪列の周囲（本実施形態では、上方）に形成されたスペースに、サイドフレーム左６１の外側フレーム面と平行に配設されている。換言すれば、伝達歯車８３、８５を含む前記歯車輪列は、サイドフレーム左６１の外側フレーム面から突出する様に設けられていて、その周囲にスペースが形成された状態となっているが、メイン基板６５はこの様に歯車輪列がサイドフレーム左６１の外側フレーム面から突出したことによって形成されたスペースに配設されている。尚、図２、図６、図７において符号６７は、メイン基板６５のシールドカバーを示している。
【００３６】
図４に示す様にメイン基板６５において記録装置１の前面に相当する位置には、図１を参照しながら説明した前記カードスロット１３ａ、１３ｂ、１３ｃが設けられていて、記録装置１の背面に相当する位置には、外部機器（例えば、ホストコンピュータ）との接続を可能とするインタフェース部としてのＵＳＢスロット８７が設けられている。更に、メイン基板６５の上方であって記録装置１の上面に相当する位置には、図１を参照しつつ説明した上記操作パネル１１を構成する、パネル基板１１ａが配置され、メイン基板６５と直接接続されている。
【００３７】
一方、サイドフレーム左６１の外側フレーム面に配置された伝達歯車８５には、円盤状スケール７７が取り付けられ、伝達歯車８５とともに回転する様に成されている。円盤状スケール７７は、メイン基板６５に取り付けられた検出部７５とともに搬送駆動ローラ２９の回転を検出する回転検出手段を構成する。即ち、円盤状スケール７７の外周部には、円周方向に透光部と遮光部とが交互に配置されて成された回転検出用パターン（図示せず）が形成され、この回転検出用パターンが、検出部７５に設けられた発光部（図示せず）と受光部（図示せず）との間に入り込むように構成されている。従って、円盤状スケール７７の回転に伴って、検出部７５はオン信号及びオフ信号の繰り返しによって成される矩形波を送出し、これによって記録装置１の制御部（図示せず）は搬送駆動ローラ２９の回転量、回転速度等を算出することが可能となっている。
【００３８】
以下、上記の様に構成された記録装置１の作用効果について説明する。先ず、図５に示すようにメイン基板６５が、搬送駆動ローラ２９を支持するサイドフレーム左６１の外側フレーム面（記録装置１の外側に位置するフレーム面）において、搬送用モータ７９から搬送駆動ローラ２９へ動力を伝達する歯車輪列（ピニオン歯車８１、伝達歯車８３、８５）の周囲（本実施形態では、上方）に形成されたスペースに、前記外側フレーム面と平行に設けられていることから、前記歯車輪列の周囲に形成されたスペースを利用することで、例えばサイドフレーム右６３の外側フレーム面にメイン基板６５を設けるような場合に比して、記録装置１の横幅寸法を小さくすることができる。即ち、メイン基板６５を効率的に配置することができる。
【００３９】
また、メイン基板６５は、搬送駆動ローラ２９の回動軸線方向と直交するフレーム面を成すサイドフレーム左６１に平行に、即ちサイドフレーム左６１に沿う様に設けられているので、メイン基板６５は記録装置１の前面及び背面並びに上面の周囲に位置することが可能となる。つまり、ユーザが種々の操作を行い易い部位（記録装置１の前面及び背面並びに上面）に、上述した操作パネル１１、ＵＳＢスロット８７、カードスロット１３ａ、１３ｂ、１３ｃ等の各種インタフェースを配置することができ、これらとメイン基板６５との間のケーブルの引き回しが不要となることから、信号の減衰やノイズの混入を防止することができる。また、ＵＳＢスロット８７やカードスロット１３ａ、１３ｂ、１３ｃについては、これら専用の回路基板を別途設ける必要がなく、装置の省スペース化及び低コスト化を図ることができる。
【００４０】
また同様に、スキャナユニット５を構成する読み取りヘッド６９は、そのホームポジションがメイン基板６５の側に位置する様に構成されていることから、メイン基板６５と読み取りヘッド６９とを接続するＦＦＣ７１のケーブル長を短くすることができ、信号の減衰やノイズ混入の危険性を低減することができる。
【００４１】
更に同様に、搬送用モータ７９とキャリッジモータ８９とが、サイドフレーム左６１に隣接する様に設けられているので、搬送用モータ７９及びキャリッジモータ８９と、メイン基板６５とを接続するケーブル（図示せず）を短く引き回すことができ、信号の減衰やノイズ混入の危険性を低減することができる。
【００４２】
加えて、搬送駆動ローラ２９の回転を検出する検出部７５がメイン基板６５に直接設けられている。つまり、メイン基板６５が前記歯車輪列の周囲に設けられたことで、前記歯車輪列を構成する伝達歯車８５に円盤状スケール７７を取り付けるとともに、円盤状スケール７７の回転を検出する検出部７５をメイン基板６５に直接取り付けることができ、検出部７５を取り付ける専用の基板が不要となり、省スペース化及び低コスト化を図ることができる。
【００４３】
更に加えて、メイン基板６５はサイドフレーム左６１に取り付けられているとともに、キャップユニット５５（図２参照）がサイドフレーム右６３の側、即ち、メイン基板６５から離間した位置に配置されている。従ってメイン基板６５の発熱による、キャップユニット５５におけるインクの固化を防止できる様になっている。
【００４４】
ところで、円盤状スケール７７と、検出部７５を構成する発光部（図示せず）或いは受光部（図示せず）との間隔が適切な間隔とならない場合、特に、前記間隔がゼロとなって、円盤状スケール７７と検出部７５とが干渉すると、異音（接触音）の発生や、搬送駆動ローラ２９の回転状態を正確に検出できなくなることによる記録品質の低下を招く虞がある。しかし、図６及び図７に示す様に本実施形態においてメイン基板６５は、固定ねじ９３を用いてサイドフレーム左６１にねじ固定される様に成されているとともに、スペーサ部材９１をメイン基板６５とサイドフレーム左６１との間に介在させることで、円盤状スケール７７と検出部７５との相対位置（より具体的には、円盤状スケール７７の回転軸線方向における、検出部７５の位置）を調節可能となる様に構成されている。従ってこれにより、前記間隔を容易に調節することができ、特に円盤状スケール７７を剛性の高い材料によって形成しても、円盤状スケール７７と検出部７５との干渉を確実に防止することで、干渉音の発生や記録品質の低下を確実に防止することができる。また、メイン基板６５を固定した後、即ち記録装置１の組立を完了した後においても、円盤状スケール７７と検出部７５との相対位置を事後的に容易に調節することができ、組立・調整作業の効率化を図ることが可能となる。
【図面の簡単な説明】
【００４５】
【図１】本発明に係る記録装置の外観斜視図。
【図２】スキャナユニットを取り外した本発明に係る記録装置の斜視図。
【図３】本発明に係る記録装置の要部側断面図。
【図４】外装ハウジングを取り外した本発明に係る記録装置の斜視図。
【図５】外装ハウジングを取り外した本発明に係る記録装置の斜視図。
【図６】メイン基板、円盤状スケール、検出部の斜視図。
【図７】メイン基板、円盤状スケール、検出部の斜視図。
【符号の説明】
【００４６】
１  スキャナ付き記録装置、３  装置本体、４  キャリッジ、５  スキャナユニット、７  給送部、９  排出受け部、１１  操作パネル、１１ａ  パネル基板、１３ａ、１３ｂ、１３ｃ  カードスロット、１４  スロットカバー、１５  蓋体、１７  回動軸、１９  蓋体、２１  可動エッジガイド、２５  固定エッジガイド、２７  給送口、２９  搬送駆動ローラ、２９ａ  搬送駆動ローラの軸端、３１  搬送従動ローラ、３３  搬送ローラ、３４  インクカートリッジ、３５  記録ヘッド、３７  キャリッジ、３８  キャリッジガイド軸、３９ａ、３９ｂ、３９ｃ  リブ、４０  プラテンユニット、４１  排出ローラ、４３  排出駆動ローラ、４３ａ  排出駆動ローラ軸、４４  排出従動ローラ支持フレーム、４５  排出従動ローラ、４７  媒体押さえローラ、４８  キャリッジベルト、４９  第１案内部材、５１  第２案内部材、５５  キャップユニット、５９  メインフレーム、６１  サイドフレーム左、６３  サイドフレーム右、６５  メイン基板、６７  シールドカバー、６９  読み取りヘッド、７１  フラットケーブル、７５  検出部、７７  円盤状スケール、７９  搬送用モータ、８１  ピニオン歯車、８３、８５  伝達歯車、８７  ＵＳＢスロット、８９  キャリッジモータ、９１  スペーサ部材、Ｐ  被記録媒体
【図１】
2006007730.tif 000003
【図２】
2006007730.tif 000004
【図３】
2006007730.tif 000005
【図４】
2006007730.tif 000006
【図５】
2006007730.tif 000007
【図６】
2006007730.tif 000008
【図７】
2006007730.tif 000009